(57)【要約】【課題】  本発明は、低コストで作業の効率がよく、しかも、作業時の安全性を確保できる引下線用工具と、電線設備の交換する施工方法を提供することにある。【解決手段】  引下線Ｄと接続する変圧器等の高所の電線設備Ｐの交換に使用する引下線用工具１であって、離隔部材２と、二つの保持部材３ａ，３ｂを備えており、離隔部材２は、引下線Ｄの延長方向に沿って長く形成してあり、保持部材３ａ，３ｂは、離隔部材２の長手方向の間隔をあけた両側部に取り付けてあるとともに引下線Ｄを保持するものであることを特徴とする。【選択図】      図１
2018074826.tif 000002
【特許請求の範囲】
【請求項１】
引下線と接続する変圧器等の高所の電線設備の交換に使用する引下線用工具であって、離隔部材と、二つの保持部材を備えており、
離隔部材は、引下線の延長方向に沿って長く形成してあり、保持部材は、離隔部材の長手方向の間隔をあけた両側部に取り付けてあるとともに引下線を保持するものであることを特徴とする引下線用工具。
【請求項２】
離隔部材は、引下線の延長方向に伸縮自在であり、伸縮手段は、使用時に縮む方向と伸びる方向にスライドし、任意の位置で位置決めできる構造であることを特徴とする請求項１記載の引下線用工具。
【請求項３】
離隔部材の両側部に有する各保持部材により、引下線の延長方向の間隔をあけた箇所をそれぞれ把持する工程、
各保持部材で引下線をそれぞれ保持し、引下線における各保持部材間の任意の箇所を切断する工程、
離隔部材を伸ばし、各保持部材に保持する引下線の切断端部を離隔する工程、
各保持部材で保持している引下線の切断端部を絶縁部材で閉塞し、既設の電線設備を新規のものに交換する工程、
離隔部材を縮めて各保持部材に保持する引下線の切断端部同士を接続し、さらに、各保持部材を引下線から外す工程、
上記の各工程を経て高所での電線設備を交換する施工方法。
【発明の詳細な説明】
【技術分野】
【０００１】
本発明は、高所に設置された変圧器等の電線設備を交換するときに使用する引下線用工具と、その引下線用工具を使用して電線設備を交換する施工方法に関するものである。
【背景技術】
【０００２】
電線設備の一つである変圧器の交換に際しては、二人の作業者が個々に間接活線工具を使用しており、一方の作業者が引下線の延長方向の任意の箇所を保持し、保持する間隔を保ちながら、もう一方の作業者が引下線を切断することで行われていた。また、切断後の引下線の切断端部は、感電事故を防ぐため、変圧器を交換している間は任意の箇所に固定しておくものであった。
【発明の概要】
【発明が解決しようとする課題】
【０００３】
上記のような施工方法では、引下線を保持する者と、引下線を切断する者の二人作業となることから作業効率が悪く、施工コストが嵩むという問題があった。また、作業者自身で切断対象となる引下線を保持する必要があり、作業者の手元が狂った場合等、事故の懸念があった。さらに、切断後の引下線を任意の箇所に固定する工程も加わることから、施工コストが嵩む原因であった。
【０００４】
本発明は上記課題を鑑みてなされたものであり、低コストで作業の効率がよく、しかも、作業時の安全性を確保できる引下線用工具と、変圧器等の電線設備を交換する施工方法を提供することにある。
【課題を解決するための手段】
【０００５】
本発明のうち請求項１記載の発明は、引下線と接続する変圧器等の高所の電線設備の交換に使用する引下線用工具であって、離隔部材と、二つの保持部材を備えており、離隔部材は、引下線の延長方向に沿って長く形成してあり、保持部材は、離隔部材の長手方向の間隔をあけた両側部に取り付けてあるとともに引下線を保持するものであることを特徴とする。
【０００６】
本発明のうち請求項２記載の発明は、離隔部材は、引下線の延長方向に伸縮自在であり、その伸縮手段は、使用時に縮む方向と伸びる方向にスライドし、さらに、任意の位置で位置決めできる構造であることを特徴とする。
【０００７】
本発明のうち請求項３記載の発明は、離隔部材の両側部に有する各保持部材により、引下線の延長方向の間隔をあけた箇所をそれぞれ保持する工程、各保持部材で引下線をそれぞれ保持し、引下線における各保持部材間の任意の箇所を切断する工程、離隔部材を伸ばし、各保持部材に保持する引下線の切断端部を離隔する工程、各保持部材で保持している引下線の切断端部を絶縁部材で閉塞し、既設の電線設備を新規のものに交換する工程、離隔部材を縮めて各保持部材に保持する引下線の切断端部同士を接続し、さらに、各保持部材を引下線から外す工程、上記の各工程を経て変圧器を交換することを特徴とする。
【発明の効果】
【０００８】
本発明のうち請求項１記載の発明によれば、離隔部材の両側部に設けてある各保持部材により、引下線の延長方向の間隔あけた箇所を、引下線の彎曲やねじれなどに対応して保持部材の角度を調整して保持できることで、各保持部材間にある引下線を切断したときに、その切断された引下線は、離隔部材と各保持部材で一続きの状態で連結される。これにより、引下線の切断時に作業者が引下線を保持する必要が無くなり、１人の作業者で作業を行えるので、施工コストの削減を図ることができる。さらに、作業者自身が支えることなく、工具のみで安定した状態で引下線を保持することができるので、高所での作業の安全性が確保できる。さらに、引下線を切断した後の切断端部を他の電線設備等に固定する工程が省かれるので、交換時の作業効率が高まる。
【０００９】
本発明のうち請求項２及び３記載の発明によれば、離隔部材が引下線の延長方向に伸縮自在であり、伸縮したときの任意の位置で位置決めできる構造である。このことから、引下線を切断したときに、離隔部材を伸ばして各保持部材間の距離を離すことで、引下線の切断端部同士の離隔距離を伸ばせるので、引下線を切断した時の絶縁性を十分に確保することができる。さらに、引下線の再接続のときには、離隔部材を縮めて各保持部材間の距離を短くすることにより、引下線の切断端部同士を突き合わせることができ、引下線を再接続するときに引下線の切断端部を直線スリーブの奥まで挿入して確実に接続することができる。
【図面の簡単な説明】
【００１０】
【図１】本実施による引下線用工具の使用状態を示す側面図である。
【図２（ａ）（ｂ）】本実施による引下線用工具を示す（ａ）は全体斜視図であり、（ｂ）は、一方の把持部材を拡大した斜視図である。
【図３（ａ）（ｂ）（ｃ）】（ａ）〜（ｃ）は、本実施による引下線用工具の作動状態を示す側面図である。
【図４（ａ）（ｂ）（ｃ）（ｄ）】（ａ）〜（ｄ）は、電線設備の交換作業に際して引下線の切断端部を離隔する工程を示す簡略化した側面図である。
【図５（ａ）（ｂ）（ｃ）（ｄ）】（ａ）〜（ｄ）は、電線設備の交換作業に際して引下線の切断端部を再接続する工程を示す簡略化した側面図である。
【図６（ａ）（ｂ）】（ａ）（ｂ）は、本発明の他の実施形態を示す側面図である。
【発明を実施するための最良の形態】
【００１１】
以下、本発明の引下線用工具１の実施形態を図面に基づいて説明する。
本実施による引下線用工具１は、図１と図２のように、大きく分ければ、離隔部材２と、離隔部材２の両側にそれぞれ配置する一方の把持部材（保持部材）３ａと他方の把持部材（保持部材）３ｂとから構成されている。
【００１２】
離隔部材２は、図２（ａ）（ｂ）を参照すれば、長尺な棒状体であり、本実施のものでは樹脂による絶縁性を有している。また、離隔部材２の一部が長手方向にスライドすることで、離隔部材２を伸縮自在に形成して長さの調節ができるようにスライド調整部（伸縮手段）５が設けてある。さらに、離隔部材２のスライド調整部５の伸縮については、離隔部材２を縮める方向には僅かに力を入れれば段階的にスライドするが、伸ばす方向にはロックを解除しなければスライドしない構造となっている。また、離隔部材２の長手方向の両端部には、支持軸部４，４がそれぞれ設けてあり、支持軸部４，４は、断面ほぼ円形状をなしている。ここで本実施では、スライド調整部５の伸縮は約４０ｍｍの範囲で行われるものが採用してある。これは、引下線Ｄの切断端部Ｅ，Ｅ同士が接触しない間隔が確保できればよいものであるから、スライド調整部５の伸縮の範囲はあまり広く設定する必要がないためである。
尚、符号１１は、ツマミであり、スライド調整部５を間接活線工具Ｆで掴みやすくするものである。
【００１３】
一方の把持部材３ａと他方の把持部材３ｂは、図３（ａ）（ｂ）（ｃ）のように、離隔部材２の両側に配置するいずれのものについても、二本の把持アーム６，６から構成してあり、図示は省略するが付勢部材によって二本の把持アーム６，６が常に閉じる方向に付勢力を付与されている。また、一方の把持部材３ａと他方の把持部材３ｂは、離隔部材２の支持軸部４，４で二本の把持アーム６，６を回転自在に軸支することで取り付けてあり、上記の支持軸部４，４を挟んで把持作用部６ａと操作部６ｂに分かれている。このうち、把持作用部６ａの内周側には、グリップ材７が配置してあり、このグリップ材７は、引下線Ｄとの当接面が半円弧状になっており、引下線Ｄを互いの把持作用部６ａ，６ａで挟んだときには引下線Ｄを抜け出し不能に把持できる構造となっている。また、操作部６ｂ，６ｂには、間接活線工具Ｆで掴む箇所に凹凸８が設けてあり、操作部６ｂ，６ｂを間接活線工具Ｆで掴んだときに、上記の凹凸８に噛むことでしっかりと支持できて確実な操作が行えるようになっている。
【００１４】
上記のように構成する引下線用工具は、以下のように使用される。
第一の手順として図４（ａ）のように、間接活線工具Ｆを用いて本実施による引下線用工具１の一方の把持部材３ａと他方の把持部材３ｂで引下線Ｄを把持する。
第二の手順として図４（ｂ）のように、上記のように引下線用工具１を引下線Ｄに取り付けた状態にしたら、間接活線工具Ｆで一方の把持部材３ａと他方の把持部材３ｂとの間で把持している引出線Ｄを切断する。
第三の手順として図４（ｃ）のように、離隔部材２を伸ばして他方の把持部材３ｂを一方の把持部材３ａから引き離す。これにより、引下線Ｄの切断端部Ｅ，Ｅ同士が接触することがなくなる。
第四の手順として図４（ｄ）のように、引下線用工具１の一方の把持部材３ａと他方の把持部材３ｂで引下線Ｄを把持した状態のまま、引下線Ｄの一方の切断端部Ｅと他方の切断端部Ｅのそれぞれに絶縁端末キャップ９，９を嵌める。
上記の第一〜第四の手順を経て高所の電線設備Ｐの交換作業における引下線Ｄの離隔作業が完了する。
【００１５】
次に、高所の電線設備Ｐの交換作業完了後の引下線Ｄを再接続する作業の手順について、以下に説明する。
第一の手順として図５（ａ）のように、上記の電線設備Ｐの交換作業前に離隔した状態の引出線Ｄのそれぞれの切断端部Ｅ，Ｅに嵌めてある絶縁端末キャップ９，９をそれぞれ外し、離隔部材２を縮めて他方の把持部材３ｂを一方の把持部材３ａへ引き寄せる。
第二の手順として図５（ｂ）のように、露出した引下線Ｄの一方の切断端部Ｅと他方の切断端部Ｅをそれぞれ直線スリーブ１０に入れる。
第三の手順として図５（ｃ）のように、直線スリーブ１０を圧延して引下線Ｄを接続する。
第四の手順として図５（ｄ）のように、引下線Ｄから一方の把持部材３ａと他方の把持部材３ｂを外して引下線用工具１を回収する。
上記の第一〜第四の手順を経て高所の電線設備Ｐの交換作業における引下線Ｄの再接続作業が完了する。
【００１６】
上記のように本実施による引下線用工具１を使用することで、以下に示す作用効果を奏することになる。
一方の把持部材３ａと他方の把持部材３ｂで引下線Ｄをそれぞれ把持することにより、引下線Ｄを切断しても、離隔部材２を介して一続きに繋がっていることから、引下線Ｄの切断時に作業者が引下線Ｄを保持する必要が無くなるので、１人の作業者で作業を行えるので、施工コストの削減を図ることができる。さらに、作業者自身が支えることなく、工具のみで安定した状態で引下線Ｄを保持することができるので、高所での作業の安全性が確保できる。さらに、引下線Ｄを切断した後の切断端部Ｅ，Ｅを他の電線設備等に固定する工程が省略されるので、交換時の作業効率が高まる。
さらに、引下線Ｄの切断後に他方の把持部材３ｂを離隔部材２の長手方向に沿って離す方向にスライドした後、その位置で位置決め固定できることから、引下線Ｄの切断端部Ｅ，Ｅ同士を離隔して不意な接触を確実に防ぐことができる。また、電線設備Ｐの交換が完了したら、引き離した状態の他方の把持部材３ｂを離隔部材２の長手方向に沿って縮める方向にスライドすることで、引下線Ｄの切断端部Ｅ，Ｅ同士を再び近づけることができるので、引下線Ｄの切断端部Ｅ，Ｅ同士を突き合わせることができ、引下線Ｄを再接続する時に引下線Ｄの切断端部Ｅ，Ｅを確実に直線スリーブ１０の奥まで挿入して接続することができる。
【００１７】
本発明の引下線用工具１は、離隔部材２については、上記実施形態では長手方向の両側端部がそれぞれスライドして伸縮及び伸縮位置での固定ができるものについて記載したが、一方のみが伸縮する構造のものでもよい。このように形成しても、上記実施形態と同様に、切断した引下線Ｄに離隔部材２を介して一続きに繋げたままで、電線設備Ｐの交換作業中は、引下線Ｄの一方の切断端部Ｅと他方の切断端部Ｅがフリーにならない状態で行うことができる。また、離隔部材２は、図６（ａ）（ｂ）のように、離隔部材２からの保持部材３ａ，３ｂの角度を自在に変えることが可能であり、また、その位置で固定することができる。図示のものは、回転連結部１２を露出して他方の保持部材３ｂの角度を変えることができる構造をなしている。このように形成すると、本発明の引下線用工具１を間接活線工具Ｆで掴んで高所に運ぶ際に、引下線用工具１をほぼ垂直にして高所に持っていけるので、作業者が搬送する負担を軽減できる。さらに、一方の保持部材３ａと他方の保持部材３ｂは、上記実施形態では引下線Ｄを把持する形態のものを挙げたが、それ以外にも引下線Ｄを挟み込む形態のものであってもよく、引下線Ｄを保持して外れない状態にできるものであれば限定しない。
【符号の説明】
【００１８】
１  引下線用工具
２  離隔部材
３ａ  一方の把持部材（保持部材）
３ｂ  他方の把持部材（保持部材）
４  支持軸部
５  スライド調整部（伸縮手段）
６  把持アーム
６ａ  把持作用部
６ｂ  操作部
７  グリップ材
８  凹凸
９  絶縁端末キャップ（絶縁部材）
１０  直線スリーブ
１１  ツマミ
１２  回転連結部
Ｄ  引下線
Ｅ  切断端部
Ｆ  間接活線工具
Ｐ  変圧器（電線設備）
【図１】
2018074826.tif 000003
【図２（ａ）（ｂ）】
2018074826.tif 000004
【図３（ａ）（ｂ）（ｃ）】
2018074826.tif 000005
【図４（ａ）（ｂ）（ｃ）（ｄ）】
2018074826.tif 000006
【図５（ａ）（ｂ）（ｃ）（ｄ）】
2018074826.tif 000007
【図６（ａ）（ｂ）】
2018074826.tif 000008